(57)【要約】【課題】リシールが出来且つストローなどを衛生的且つ散逸せずに保管出来、その上嵩張らないで物流時に阻害とならないリシール機能付きキャップを提供する。【解決手段】天面壁とこれの周縁から垂下するスカート壁とを有して容器の口部を密封し、天面壁の周縁近傍にストロー挿入孔を設けてキャップ本体を形成し、キャップ本体の天面壁にヒンジを介してストロー挿入孔を開閉する小蓋を設け、小蓋のヒンジに対向する側には天面壁の周縁から外方に延出する開閉用つまみ片が下方に折り曲げ可能な折曲部を介して連結され、開閉用つまみ片はストロー保持部を有することで、スカート壁に近接した開閉用つまみ片により小蓋を開きストロー挿入孔にストローを差し込み、容器内の飲料を吸飲し、リシール時、ストローを抜き取り、開閉用つまみ片により小蓋を閉じて、ストロー保持部にストローを保持出来て、上記課題を達成できる。【選択図】図４
2008189367.tif 000002
【特許請求の範囲】
【請求項１】
天面壁と該天面壁の周縁から垂下するスカート壁とを有して容器の口部を密封し、前記天面壁の周縁近傍にストロー挿入孔を設けてキャップ本体を形成し、該キャップ本体の前記天面壁にヒンジを介して前記ストロー挿入孔を開閉する小蓋を設け、該小蓋のヒンジに対向する側には該小蓋の天面の周縁から外方に延出する開閉用つまみ片が下方に折り曲げ可能な折曲部を介して連結されており、前記開閉用つまみ片はストロー保持部を有することを特徴とするリシール機能付きキャップ。
【請求項２】
前記ストロー保持部は、前記開閉用つまみ片の周縁の一部を切り欠いた開口と、該開口から連続して中央に延びるストローの保持孔とからなり、前記開口の中央と前記ストローの保持孔の中央とを通る線は折曲部が折れ曲がる線とほぼ平行である請求項１記載のリシール機能付きキャップ。
【請求項３】
前記キャップ本体にストローにより突き刺し可能なフィルムを貼ってなり、前記容器の口部に前記キャップ本体を装着した際、少なくとも前記ストロー挿入孔と前記容器内部とを遮断する請求項１または２記載のリシール機能付きキャップ。
【請求項４】
前記小蓋の内面に、前記キャップ本体のストロー挿入孔を密封するインナーリングを設けた請求項１ないし３のいずれか１項に記載のリシール機能付きキャップ。
【発明の詳細な説明】
【技術分野】
【０００１】
本発明は、乳飲料、コーヒー飲料、果汁飲料などの飲料を充填している容器に装着して密封するリシール機能付きキャップに関し、より詳しくは、キャップ本体にヒンジで連接されたストロー挿入孔を備えた小蓋を設けてなり、この小蓋にキャップ本体のスカート壁に近接可能な開閉用つまみ片を折曲部を介して連結させ、さらに、この開閉用つまみ片にストロー保持部を設けて、ストローを保持できるようにしたリシール機能付きキャップに関する。
【背景技術】
【０００２】
乳飲料、コーヒー飲料、果汁飲料などの飲料を充填している容器の中に、図１１に示すような容器５０がある。この容器５０は、カップ形状であり、容器５０内に飲料を充填したあと、その口部５１に剥がし片５２付きのフィルム５３を貼り付け密封してあり、さらに、この上から口部５１にキャップ５４が被せられる。そして、このキャップ５４にはその透明の天面壁５５に脆弱破断部５６が刻まれ、ストローによりこの脆弱破断部５６を破断し、さらにフィルム５３を突き刺して容器５０内にストローを容易に挿入するようになっている。ところが、このキャップ５４は、一度脆弱破断部５６を破断すると、この部分をリシールすることが出来ず、単にホコリを防ぐだけのものとなり、容器５０が転倒すると容器５０内の飲料がこぼれた時には周囲を汚すことになる。
【０００３】
また、このキャップ５４のリシール性を期待して、脆弱破断部５６を破断せずに、容器５０の口部５１からキャップ５４を外し、剥がし片５２によりフィルム５３を容器５０の口部５１からストローを挿入できる程度まで剥がして、ストローを容器５０内に挿入して飲料を飲む。そのあと、容器５０内に飲料が残っている場合、容器５０からストローを抜き取り、口部５１にキャップ５４を被せることで、不完全ながら、このキャップ５４のリシール性を実現することが出来る。しかし、抜き取ったストローを衛生的に且つ散逸しないように保管することに窮することになる。このような不都合を解消するリシール機能付きキャップとして、下記のものが知られている。
【特許文献１】特開２００３−３４１７００号公報
【０００４】
この特許文献１に係るリシール機能付きキャップは、図１２に示すように、キャップ６０の外周の一部を水平に延出してツマミ６１を設け、このツマミ６１にスリット、欠落部などからなる飲食具保持部６２を設けたもので、このツマミ６１の飲食具保持部６２にスプーン６３を装着することが出来る。したがって、このリシール機能付きキャップは、容器６４内の飲食物を飲食した後、口部６５に被せれば、リシールすることが出来、その上ツマミ６１の飲食具保持部６２にスプーン６３を装着すれば、衛生的に且つ散逸しないようにスプーン６３を保管することが出来る。なお、スプーン６３に代えて、ストローをツマミ６１の飲食具保持部６２に装着することは可能である。
【発明の開示】
【発明が解決しようとする課題】
【０００５】
ところが、上記特許文献１のリシール機能付きキャップは、容器６４のリシールが出来、且つスプーン６３やストローなどを衛生的且つ散逸しないように保管することが出来るものの、キャップ６０の外周から延出したツマミ６１が外方に大きく張り出ているから、全体的に嵩張り、物流時に障害となる虞がある。
【０００６】
そこで、本発明の目的は、開封後の容器のリシールが出来、且つストローなどを衛生的且つ散逸しないように保管することが出来、その上、嵩張らないで物流時の阻害要因となることがないリシール機能付きキャップを提供することにある。
【課題を解決するための手段】
【０００７】
本発明は、上記目的を達成するために提案されたものであって、下記の構成からなることを特徴とするものである。
すなわち、本発明によれば、天面壁と該天面壁の周縁から垂下するスカート壁とを有して容器の口部を密封し、前記天面壁の周縁近傍にストロー挿入孔を設けてキャップ本体を形成し、該キャップ本体の前記天面壁にヒンジを介して前記ストロー挿入孔を開閉する小蓋を設け、該小蓋のヒンジに対向する側には該小蓋の天面の周縁から外方に延出する開閉用つまみ片が下方に折り曲げ可能な折曲部を介して連結されており、前記開閉用つまみ片はストロー保持部を有することを特徴とするリシール機能付きキャップが提供される。
【０００８】
また、本発明によれば、前記ストロー保持部は、前記開閉用つまみ片の周縁の一部を切り欠いた開口と、該開口から連続して中央に延びるストローの保持孔とからなり、前記開口の中央と前記ストローの保持孔の中央とを通る線は折曲部が折れ曲がる線とほぼ平行であるリシール機能付きキャップが提供される。
【０００９】
また、本発明によれば、前記キャップ本体にストローにより突き刺し可能なフィルムを貼ってなり、前記容器の口部に前記キャップ本体を装着した際、少なくとも前記ストロー挿入孔と前記容器内部とを遮断するリシール機能付きキャップが提供される。
【００１０】
また、本発明によれば、前記小蓋の内面に、前記キャップ本体のストロー挿入孔を密封するインナーリングを設けたリシール機能付きキャップが提供される。
【発明の効果】
【００１１】
本発明のリシール機能付きキャップは、折曲部によりキャップ本体のスカート壁に近接している開閉用つまみ片によって小蓋を開き、ストロー挿入孔を裸出してストローを差し込み、容器内の飲料を吸飲する。リシールの場合、ストロー挿入孔からストローを抜き取り、開閉用つまみ片により小蓋を閉じて、そのストロー保持部にストローを保持する。したがって、容器のリシールが出来、且つストローなどを衛生的且つ散逸しないように保管することが出来、その上、消費者が容器を使用する前には開閉用つまみ片が折曲部により容器のスカート壁に近接しているから、嵩張らないで物流時の阻害要因となることがない効果がある。
【００１２】
また、本発明のリシール機能付きキャップは、ストロー保持部の開口にストローをあてがい保持孔に挿入させる際、開口の中央と保持孔の中央とを通る線は折曲部の折曲線とほぼ平行であるから、使用後、ストローを保持部に保持する際には折曲部が折れ曲がる支障がなく開口を通過して、保持孔にストローを挿出入出来る。したがって、上記の効果に加えて、ストローの挿出入が極めて容易となる効果がある。
【００１３】
また、本発明のリシール機能付きキャップは、容器の口部にキャップ本体を装着することで、ストローによる突き刺し前のキャップ本体のストロー挿入孔と容器内部とのシールは、ストロー挿入孔の下面にフィルムを貼りつけることにより行える。したがって、上記の効果に加えて、ストローによるフィルムの突き刺し前のシールを高精度に出来、且つ容器に飲料を充填したあと、その口部にキャップ本体を装着するだけでよく、別途、口部にシールのためのフィルムを貼る工程が省ける効果がある。
【００１４】
また、本発明のリシール機能付きキャップは、ストロー挿入孔に小蓋を被せると、ストロー挿入孔内に小蓋のインナーリングが嵌り、ストロー挿入孔を密封する。したがって、上記の効果に加えて、ストローによるフィルムの突き刺し後のシールを高精度に出来る効果がある。あるいは、フィルムによる密封に代えてインナーリングのみにより密封することも可能である。
【発明を実施するための最良の形態】
【００１５】
以下に、図面を参照して本発明を実施するための最良の形態を説明する。
【実施例１】
【００１６】
図１は本発明の実施の形態を示すリシール機能付きキャップを容器に装着した状態の側面図、図２は図１のリシール機能付きキャップの縦断面図、図３は図１のリシール機能付きキャップの平面図、図４は図１の縦断面図である。図面において、リシール機能付きキャップ１は、容器２の口部３に液密に装着するものであり、天面壁４とこの天面壁４の周縁から垂下するスカート壁５とを有して前記容器２の口部３を密封し、天面壁４の周縁近傍にストロー挿入孔６を設けてキャップ本体７を形成し、このキャップ本体７の天面壁４にヒンジ８を介してストロー挿入孔６を開閉する小蓋９を設け、この小蓋９のヒンジ８に対向する側には小蓋９の天面４の周縁から外方に延出する開閉用つまみ片１０が下方に折り曲げ可能な折曲部１１を介して連結されており、さらに、開閉用つまみ片１０はストロー保持部１２を有するものである。
【００１７】
前記容器２としては、乳飲料、コーヒー飲料、果汁飲料など飲料を充填出来るものであり、且つ容器２の口部３に本発明のリシール機能付きキャップ１を液密に装着出来るものであれば、形状などに特に限定がないが、カップタイプのものに好ましく用いられる。その材質は、主に合成樹脂や紙であるが、これらに限定されるものではない。なお、図５にて後述するように、容器２の側壁１３に予めストロー１４を備え付けても、付けなくても任意に選択することができる。
【００１８】
前記キャップ本体７は、既述のとおり、天面壁４とその周縁から垂下するスカート壁５とでなり、それを容器２の口部３に液密に装着するものである。その装着機構は、天面壁４内面に内筒２０をスカート壁５内側に同心的に設けて、これらの間に嵌合溝２１を形成し、その嵌合溝２１に容器２の口部３を嵌めることで液密とする。さらに、この天面壁４の周縁近傍に前記ストロー挿入孔６があり、このストロー挿入孔６はヒンジ８を介して天面壁４に設けられた前記小蓋９により液密に開閉される。すなわち、小蓋９の内面にインナーリング２２を設け、このインナーリング２２によってストロー挿入孔６を密封することになる。
【００１９】
また、前記キャップ本体７のストロー挿入孔の下面を覆うように後述のストロー１４により突き刺し可能なフィルム２４を貼り、容器２の口部３にキャップ本体７を装着した際、少なくともストロー挿入孔６と容器２内部とを遮断している。したがって、このリシール機能付きキャップ１は、容器２の口部３にキャップ本体７を装着すると、ストロー１４による突き刺し前のキャップ本体７のストロー挿入孔６と容器２内部とのシールは、フィルム２４により行えることになる。したがって、ストロー１４によるフィルム２４の突き刺し前のストロー挿入孔６のシールは、より高精度となり、その上製造工程中、容器２に飲料を充填したあと、その口部３にキャップ本体７を装着するだけでよく、別途、容器口部３にフィルム２４を貼る工程を省くことが出来る。
【００２０】
前記小蓋９のヒンジ８に対向する側には開閉用つまみ片１０が設けられ、この開閉用つまみ片１０は、小蓋９の天面の周縁から外方に延出しているから、折曲部１１を介して小蓋９に連結されて、この折曲部１１により下方に折り曲げ可能になり、開閉用つまみ片１０をキャップ本体７のスカート壁５に沿わすことを可能にしている。すなわち、飲料が充填された容器２の口部３にリシール機能付きキャップ１が装着された状態での物流時、小蓋９を開閉するための開閉用つまみ片１０がその物流の阻害要因となってはならない。したがって、開閉用つまみ片１０をキャップ本体７のスカート壁５に沿わせた状態での外径Ｒ１は、リシール機能付きキャップ１及び容器２の他の最大外径以下であることが望ましいのである。このように、上記外径Ｒ１が他の最大外径以下であると、開閉用つまみ片１０による物流容量の増大を防ぐと共に、これら同士の衝突の機会を減らし、良好な物流を達成することが可能となる。      
【００２１】
この開閉用つまみ片１０は前記ストロー保持部１２を有し、これは開閉用つまみ片１０の周縁の一部を切り欠いた開口３０と、この開口３０から連続して中央に延びる後述のストロー１４の保持孔３１とからなり、開口３０の中央とストロー１４の保持孔３１の中央とを通る線Ｌ１は、前記折曲部１１が折れ曲がる線Ｌ２とほぼ平行になっている。このため、ストロー保持部１２の開口３０にストロー１４をあてがい保持孔３１に押し込む際、開口３０の中央と保持孔３１の中央とを通る線Ｌ１は、折曲部１１の折れ曲がる線Ｌ２とほぼ平行であるから、開口３０から保持孔３１に向けてストロー１４を押し込んでも、折曲部１１が折れ曲がることなく、開口３０を通過して保持孔３１にストロー１４を容易に挿出入することが出来る。
【００２２】
図５はリシール機能付きキャップ１を装着した容器２の側壁１３にストロー１４を備え付けた状態を示すものである。このストロー１４は、包装袋３２内に入れられて衛生状態が保持され、この包装袋３２が容器２の側壁１３に貼り付けられることにより、ストロー１４が側壁１３に密着保持されることになる。さらに、この包装袋３２入りのストロー１４は、上述したのと同様に、物流時に阻害要因となってはならない。したがって、容器２の側壁１３に包装袋３２入りのストロー１４が密着保持された状態の外径は、リシール機能付きキャップ１及び容器２の他の最大外径以下であることが望ましい。
【００２３】
図６、７は、図１ないし５の容器２と異なる形状の容器２Ａにリシール機能付きキャップ１を装着し、その容器２Ａの側壁４０に前記ストロー１４を備え付けた状態を示すものである。すなわち、この容器２Ａは、その側壁４０に凹部４１を設けると共に、この凹部４１を跨いだ状態でストロー１４を側壁４０に密着保持させたものである。この凹部４１は、容器２Ａの側壁４０に周方向全周に亙って形成されているから、側壁４の全周にわたり存在し、側壁４０に包装袋３２入りのストロー１４を密着保持させていても、ストロー１４を手指にて取り外す際、手指の先が凹部４１内に入り、ストロー１４を極めて容易につかむことが可能となり、側壁４０からストロー１４を容易に取り外すことができる。
【００２４】
ストローの上下端は容器側壁に密着ないし近接しているため、製品の搬送時にストローが邪魔になることがない。特に、物流の観点から、図５の場合と同様に、容器２Ａの側壁４０に包装袋３２入りのストロー１４が密着保持された状態の外径は、容器２Ａの他の最大外径以下であることが望ましい。なお、この凹部４１は、容器２Ａの側壁４０の全周にわたり存在しなくても良い。すなわち、この凹部４１は、最低限手指でストロー１４を容易につかむことが可能となる程度、手指の先が中に入る形状になっていれば良い。
【００２５】
次に、図５ないし１０を参照して、上記構成になるリシール機能付きキャップ１の利用状況を説明する。
まず、図５あるいは図６、７の飲料を充填してある容器２の側壁１３あるいは容器２Ａの側壁４０に、密着保持している包装袋３２入りのストロー１４を、手指でつかみ取り外す。次に、折曲部１１によってキャップ本体７のスカート壁５に近接している開閉用つまみ片１０を、手指でつかみ小蓋９を開きストロー挿入孔６を裸出する（図８参照）。そして、包装袋３２を切り裂き中のストロー１４を取り出し、ストロー挿入孔６からストロー１４を差し込み、その先端でフィルム２４を突き刺して開封し、容器２あるいは２Ａ内にストロー１４を挿入して飲料を吸飲する（図９参照）。
【００２６】
リシールの場合、ストロー挿入孔６からストロー１４を抜き取り、開閉用つまみ片１０により小蓋９を閉じ、さらに、抜き取ったストロー１４をストロー保持部１２の開口３０にあてがい保持孔３１に向けて押し込んでも、折曲部１１が折れ曲がることなく、保持孔３１にストロー１４を容易に挿入保持させ得る（図１０参照）。このように、リシール機能付きキャップ１は、ストロー挿入孔６のリシールが出来、容器２あるいは２Ａから残留した飲料がこぼれることがなく、且つ、ストロー１４などを衛生的且つ散逸しないように保管出来、その上、開閉用つまみ片１０が折曲部１１によりキャップ本体７のスカート壁５に近接させ得るから、嵩張らないで物流時に阻害となることもない。
【００２７】
再び、容器２あるいは２Ａ内に残留している飲料を吸飲したい場合は、保持孔３１に挿入保持されているストロー１４を挿出し、開閉用つまみ片１０により小蓋９を開いて、ストロー挿入孔６を裸出しストロー１４を差し込み、容器２あるいは２Ａ内にストロー１４を挿入して飲料を吸飲することが出来る。まだ、容器２あるいは２Ａ内に飲料が残留している場合は、上述のリシールの場合を繰り返せばよい。
【００２８】
以上、本発明の実施例１を説明したが、具体的な構成はこれに限定されず、本発明の要旨を逸脱しない範囲での変更は適宜可能であることは理解されるべきである。
【産業上の利用可能性】
【００２９】
本発明のリシール機能付きキャップは、飲み残しの飲料がある容器をリシールしたり、且つ使用後のストローなどを衛生的且つ散逸しないように保管したい場合に、その上、嵩張らず物流時に阻害にならないようにしたい場合に、高い利用価値がある。
【図面の簡単な説明】
【００３０】
【図１】本発明の実施例１の形態を示すリシール機能付きキャップを容器に装着した状態の側面図である。
【図２】図１のリシール機能付きキャップの縦断面図である。
【図３】図１のリシール機能付きキャップの平面図である。
【図４】図１の縦断面図である。
【図５】本発明の実施の形態を示すリシール機能付きキャップを装着した容器の側壁にストローを備えた状態の側面図である。
【図６】他の形状の容器の側壁にストローを備えた状態の側面図である。
【図７】図６の縦断面図である。
【図８】本発明の実施例１の形態を示すリシール機能付きキャップの使用状態の縦断面図である。
【図９】同じくリシール機能付きキャップの使用状態の縦断面図である。
【図１０】本発明の実施例１の形態を示すリシール機能付きキャップの使用状態の縦断面図である。
【図１１】リシール機能付きキャップの従来例を示す斜視図である。
【図１２】リシール機能付きキャップの他の従来例を示す斜視図である。
【符号の説明】
【００３１】
１                        リシール機能付きキャップ
２，２Ａ，５０，６４      容器
３，５１，６５            口部
４，５５                  天面壁
５                        スカート壁
６                        ストロー挿入孔
７                        キャップ本体
８                        ヒンジ
９                        小蓋
１０                      開閉用つまみ片
１１                      折曲部
１２                      ストロー保持部
１３，４０                側壁
１４                      ストロー
２０                      内筒
２１                      嵌合溝
２２                      インナーリング
２３                      段差面
２４，５３                フィルム
３０                      開口
３１                      保持孔
３２                      包装袋
４１                      凹部
５２                      剥がし片
５４，６０                キャップ
５６                      脆弱破断部
６１                      ツマミ
６２                      飲食具保持部
６３                      スプーン
Ｒ１                      外径
Ｌ１，Ｌ２                線
【図１】
2008189367.tif 000003
【図２】
2008189367.tif 000004
【図３】
2008189367.tif 000005
【図４】
2008189367.tif 000006
【図５】
2008189367.tif 000007
【図６】
2008189367.tif 000008
【図７】
2008189367.tif 000009
【図８】
2008189367.tif 000010
【図９】
2008189367.tif 000011
【図１０】
2008189367.tif 000012
【図１１】
2008189367.tif 000013
【図１２】
2008189367.tif 000014